(57)【要約】【課題】上下羽根を閉じた時、吹出し口との間に間隙が生じることが避けられなかった。このため、この隙間から、室内ユニットの内部が見え、意匠的にも優れず、且つ他メーカーと似た意匠となることが避けられず、意匠的差別化を十分に行えなかった。【解決手段】二分割され、各々独立に回転軸周りで揺動して開閉するシャッターを吹出し口に設け、このシャッターよりも吹出し口内部に収納されて、シャッターの縁部近傍と吹出し口の上壁面および下壁面の間に差渡されてシャッターの開閉と同期して揺動し風向を制御する風向制御羽根を持つものである。【選択図】　図１
2004085069.tif 000002
【特許請求の範囲】
【請求項１】
吹出し口と、上下あるいは前後に二分割されたシャッターと、前記二分割されたシャッターは、その縁部にて互いに当接し、且つ各々独立に回転軸周りで揺動して前記吹出し口を開閉し、前記シャッターよりも吹出し口内部に収納されて吹出す風の上下あるいは前後方向の風向を制御し、前記シャッターの縁部近傍と吹出し口の上壁面および下壁面の間に差渡され、且つ前記シャッターの開閉と同期して揺動する第１および第２の風向制御羽根を持つ送風回路。
【請求項２】
吹出し口と、上下あるいは前後に二分割されたシャッターと、前記二分割されたシャッターは、その縁部にて互いに当接し、且つ各々独立に回転軸周りで揺動して前記吹出し口を開閉し、少なくとも一方のシャッターと一体に形成された第１あるいは第２の風向制御羽根と、前記シャッターよりも吹出し口内部に収納されて吹出す風の上下あるいは前後方向の風向を制御し、前記シャッターの開閉とは独立して揺動する第３の風向制御羽根を持つ送風回路。
【発明の詳細な説明】
【０００１】
【発明の属する技術分野】
本発明は、空気調和機やカーエアコン等の送風回路の吹出し口の形態に関するものである。
【０００２】
【従来の技術】
以下、従来の送風機の吹出し口について説明する。
図５は、従来の空気調和機の室内ユニットの構成図である。
【０００３】
空気調和機の室内ユニットＡには、室内熱交換器（図示せず）、室内ファン（図示せず）、室内ファンモータ（図示せず）が内蔵され、室内ユニットＡの風の出口には室内吹出し口２０１、風の入り口には吸込み口２０４が設けられ、室内吹出し口２０１には上下風向制御羽根（以下、上下羽根と称す）２０２および左右風向制御羽根（以下、左右羽根と称す）２０３が設けられている。
【０００４】
このような構成において、室内ファンが室内ファンモータによって駆動されると、室内空気が吸込み口２０４から室内ユニットＡに取り込まれ、室内熱交換器を通過したのち、室内吹出し口２０１から吹出される。
【０００５】
このとき、吹出し空気は、上下羽根２０２および左右羽根２０３の表面近傍を通過し、上下羽根２０２および左右羽根２０３の偏向により、上下方向および左右方向の風向が決定される。
【０００６】
上下羽根２０２および左右羽根２０３は、吹出し口周辺に設けた少なくとも１つの回転軸によって、吹出し口２０１に設置されており、前記回転軸の周りで揺動することで、偏向度を変え得るようになっている。
【０００７】
また、左右羽根２０３は、上下羽根２０２よりも、通常、前記吹出し口２０１の奥に収納されており、上下羽根が閉じる際は、図６の様な状態となる。
【０００８】
【発明が解決しようとする課題】
前述のように上下羽根２０２を、その回転軸の周りを揺動することにより、吹出し口２０１は開閉自在となるが、風向制御のためには、上下羽根の軸を吹出し口内部に設けるのが、風向制御を効果的に行う為にも意匠的にも最も効率的で理に適っていた。
【０００９】
しかしこの構成によれば上下羽根２０２を閉とした場合でも、吹出し口２０１と上下羽根２０２の間に間隙が生じることが避けられなかった。
【００１０】
このため、吹出し口２０１と上下羽根２０２との隙間から、室内ユニットＡの内部が見え、意匠的にも優れたものではなく、尚且つ同様の構成では他メーカーと似た意匠となることが避けられず、意匠的差別化を十分に行えなかった。
【００１１】
また、上下羽根の回転軸位置を調整して、前記間隙が生じないようにした場合は、風向制御の効率を犠牲にする事が少なくなかった。
【００１２】
また、ヒートポンプ式空気調和機特有の除霜運転時において低温の室内熱交で冷却された空気が、周囲の空気より大なる比重となって沈降し、前記吹出し口の間隙から冷風が室内に漏出し、使用者に冷風感を与える不具合が生じていた。
【００１３】
また、同じくヒートポンプ式空気調和機の暖房運転中、冷凍サイクル内部には高低圧力差を生じているため、除霜のために四方弁を切替えた時、冷凍サイクル内の高圧部分と低圧部分が四方弁内で瞬時に導通し、その圧力差のエネルギーによって、冷凍サイクルを形成する四方弁内部および熱交換器中の狭小・曲折した流路を冷媒が急激に移動し、冷媒流通音を発生し、この音が前記吹出し口の間隙から漏出し、使用者に不快感を与えていた。
【００１４】
本発明は上記課題に鑑み行われたもので、室内ユニット吹出し口の意匠性を向上させ、さらに除霜時において室内吹出し口からの冷風感を防止し、冷媒音の室内への漏出を抑制するものである。
【００１５】
【課題を解決するための手段】
上記課題を解決するために本発明は、吹出し口と、上下あるいは前後に二分割されたシャッターと、前記二分割されたシャッターは、その縁部にて互いに当接し、且つ各々独立に回転軸周りで揺動して前記吹出し口を開閉し、前記シャッターよりも吹出し口内部に収納されて吹出す風の上下あるいは前後方向の風向を制御し、前記シャッターの縁部近傍と吹出し口の上壁面および下壁面の間に差渡され、且つ前記シャッターの開閉と同期して揺動する第１および第２の風向制御羽根を持つものである。
【００１６】
かかる構成とすることにより、意匠性に優れ、尚且つ除霜運転に伴なう室内熱交で冷却された空気の吹出し口からの吹出しが阻止され、不快な冷風感を使用者に与えることなく、除霜を行うことができるものである。
【００１７】
また、冷凍サイクルから発生する音の漏洩を吹出し口を閉じることで防止し、冷凍サイクルを暖房運転から除霜運転へ切換える時の冷媒流通音を抑えることができる。
【００１８】
また本発明は、吹出し口と、上下あるいは前後に二分割されたシャッターと、前記二分割されたシャッターは、その縁部にて互いに当接し、且つ各々独立に回転軸周りで揺動して前記吹出し口を開閉し、少なくとも一方のシャッターと一体に形成された第１あるいは第２の風向制御羽根と、前記シャッターよりも吹出し口内部に収納されて吹出す風の上下あるいは前後方向の風向を制御し、前記シャッターの開閉とは独立して揺動する第３の風向制御羽根を持つものである。
【００１９】
かかる構成とすることにより、意匠性に優れ、尚且つ除霜運転に伴なう室内熱交で冷却された空気の吹出し口からの吹出しが阻止され、不快な冷風感を使用者に与えることなく、除霜を行うことができるものである。
【００２０】
また、冷凍サイクルから発生する音の漏洩を吹出し口を閉じることで防止し、冷凍サイクルを暖房運転から除霜運転へ切換える時の冷媒流通音を抑えることができる。
【００２１】
【発明の実施の形態】
以下、本発明の実施の形態について添付図面に基づき分離型空気調和機を例に説明する。
【００２２】
（実施の形態１）
図１および図２は、本発明の室内機の第１の実施の形態である。図２は吹出し口近傍の詳細断面図である。
１は吹出し口、２は上シャッター、３は下シャッター、４は第１の風向制御羽根、５は第２の風向制御羽根、６は吹出し口の上壁面、７は吹出し口の下壁面、８は室内ファン、１０は吸込み口、１１は上シャッター駆動用ギア、１２は下シャッター駆動用ギア、１３は上シャッター駆動用ギア１１と噛合う上シャッター駆動用ピニオン、１４は下シャッター駆動用ギア１２と噛合う下シャッター駆動用ピニオン、１５は上シャッター２と一体に成形されピニオン１３を設けた上シャッター端板、１６は下シャッター３と一体に成形されピニオン１４を設けた下シャッター端板、１７は上シャッター２と第１の風向制御羽根４を連結しその周りで第１の風向制御羽根４が自由に揺動できるピポッド、１８は上シャッター２と吹出し口の上壁面６を連結し、その周りで第１の風向制御羽根４が自由に揺動できるピポッド、１９は吹出し口の上壁面６に設けられ、ピポッド１８がその中で自由にスライドできるスライド溝、２０は下シャッター３と第２の風向制御羽根５を連結しその周りで第２の風向制御羽根５が自由に揺動できるピポッド、２１は下シャッター３と吹出し口の下壁面７を連結し、その周りで第２の風向制御羽根５が自由に揺動できるピポッド、２２は吹出し口の下壁面７に設けられ、ピポッド２１がその中で自由にスライドできるスライド溝、２３は室内ユニットである。
【００２３】
空気調和機運転時には、室内ファンモータ（図示せず）により室内ファン８を駆動させ、室内空気が吸込み口１０から吸込まれ、室内熱交換器（図示せず）を通過し、続いて室内ファン８を通過し、さらに第１第２の風向制御羽根４・５の近傍を通過して、再び室内に吹出される。
【００２４】
このとき、第１第２の風向制御羽根４・５の偏向により、吹出す風向が決定される。
【００２５】
続いて、前記上シャッター２・下シャッター３および第１の風向制御羽根４・第２の風向制御羽根５の動作について説明する。
【００２６】
上シャッター駆動用ギア１１および下シャッター駆動用ギア１２を電動機（図示せず）により駆動すると、これらのギアと噛合う上・下シャッター駆動用ピニオン１３・１４が各々従動し、前記上・下シャッター駆動用ピニオン１３・１４が設けられている上・下シャッター端板１５・１６およびこれら端板と一体に成形または組まれている上・下シャッター２・３が各々開閉する。
【００２７】
このとき、第１・第２の風向制御羽根４・５は、一端を上・下シャッター２・３とピポッド１７・２０を介して連結され、他端を吹出し口の上下壁面６・７とピポッド１８・２１を介して連結され、尚且つピポッド１８・２１は、吹出し口の上・下壁面６・７に設けられたスライド溝１９・２２の中を自由にスライドできるようになっている為、第１・第２の風向制御羽根４・５は上・下シャッター２・３の開閉に同期して揺動する。
【００２８】
この構成により、図２に示すシャッター閉状態から主に上シャッター２を開口すると、空気の吹出し方向が水平向きとなリ、反対にシャッター閉状態から主に下シャッター３を開口すると、空気の吹出し方向が下向きとなる。
【００２９】
また、上・下シャッター２・３を互いに一定の距離を保ったまま同位相で揺動すれば、風向が連続的に上下方向に変化する。
【００３０】
また、上・下シャッター２・３の距離を増減することで、ワイド的な吹出しとなったり、スポット的な吹出しとなる。
【００３１】
図３に、上・下シャッターの動作のパターンの一例を示す。
（実施の形態２）
図４は、本発明の室内機の第２の実施の形態における吹出し口近傍の詳細断面図である。吹出し口以外の部分については第１の実施の形態と同様であるので、説明は省略する。
【００３２】
３１は吹出し口、３２は上シャッター、３３は下シャッター、３４は第１の風向制御羽根、３５は第３の風向制御羽根、３６は吹出し口の上壁面、３７は吹出し口の下壁面、８は室内ファン、１０は吸込み口、１１は上シャッター駆動用ギア、１２は下シャッター駆動用ギア、１３は上シャッター駆動用ギア１１と噛合う上シャッター駆動用ピニオン、１４は下シャッター駆動用ギア１２と噛合う下シャッター駆動用ピニオン、１５は上シャッター３２と一体に成形されピニオン１３を設けた上シャッター端板、１６は下シャッター３３と一体に成形されピニオン１４を設けた下シャッター端板、３８は第１の風向制御羽根３４と吹出し口の上壁面３６を連結し、その周りで第１の風向制御羽根３４および上シャッター３２が自由に揺動できるピポッド、２３は室内ユニットである。
【００３３】
空気調和機運転時には、室内ファンモータ（図示せず）により室内ファン８を駆動させ、室内空気が吸込み口１０から吸込まれ、室内熱交換器（図示せず）を通過し、続いて室内ファン８を通過し、さらに第１第３の風向制御羽根３４・３５の近傍を通過して、再び室内に吹出される。
【００３４】
このとき、第１第３の風向制御羽根３４・３５の偏向により、吹出す風向が決定される。
【００３５】
続いて、前記上シャッター３２・下シャッター３３および第１の風向制御羽根３４・第３の風向制御羽根３５の動作について説明する。
【００３６】
上シャッター駆動用ギア１１および下シャッター駆動用ギア１２を電動機（図示せず）により駆動すると、これらのギアと噛合う上・下シャッター駆動用ピニオン１３・１４が各々従動し、前記上・下シャッター駆動用ピニオン１３・１４が設けられている上・下シャッター端板１５・１６およびこれら端板と一体に成形または組まれている上・下シャッター３２・３３が各々開閉する。
【００３７】
このとき、第１の風向制御羽根３４は、ピポッド３８を介して吹出し口の上壁面３６に連結され、その周りで自由に揺動できるようになっている為、上シャッター３２および第１風向制御羽根３４はピポッド３８の周りを、一体となって揺動する。
【００３８】
また、第３の風向制御羽根３５は、上・下シャッター３２・３３および第１の風向制御羽根３４とは、独立に揺動する。
【００３９】
この構成により、シャッター閉状態から主に上シャッター３２を開口し、且つ第３の風向制御羽根３５を水平方向に偏向すると、空気の吹出し方向が水平向きとなリ、反対にシャッター閉状態から主に下シャッター３３を開口し、且つ第３の風向制御羽根３５を下向きに偏向すると、空気の吹出し方向が下向きとなる。
【００４０】
また、上・下シャッター３２・３３を互いに一定の距離を保ったまま、同位相で揺動し、且つ第３の風向制御羽根３５をこれと同位相で揺動すれば、風向が連続的に上下方向に変化する。
【００４１】
また、上・下シャッター３２・３３の距離を増減することで、ワイド的な吹出しとなったり、スポット的な吹出しとなる。
【００４２】
【発明の効果】上記実施の形態より明らかなように本願に記載の発明は、吹出し口と、上下あるいは前後に二分割されたシャッターと、前記二分割されたシャッターは、その縁部にて互いに当接し、且つ各々独立に回転軸周りで揺動して前記吹出し口を開閉し、前記シャッターよりも吹出し口内部に収納されて吹出す風の上下あるいは前後方向の風向を制御し、前記シャッターの縁部近傍と吹出し口の上壁面および下壁面の間に差渡され、且つ前記シャッターの開閉と同期して揺動する第１および第２の風向制御羽根を持つもので、これにより運転中以外の吹出し口の不要な間隙を無くす事が出来、且つ従来にない優れた意匠性を発揮し、なお且つ間隙を無くす事でヒートポンプ式空気調和機特有の除霜時の冷風感や冷媒音の漏洩の防止をする事が出来る。
【００４３】
また、本願発明は、吹出し口と、上下あるいは前後に二分割されたシャッターと、前記二分割されたシャッターは、その縁部にて互いに当接し、且つ各々独立に回転軸周りで揺動して前記吹出し口を開閉し、少なくとも一方のシャッターと一体に形成された第１あるいは第２の風向制御羽根と、前記シャッターよりも吹出し口内部に収納されて吹出す風の上下あるいは前後方向の風向を制御し、前記シャッターの開閉とは独立して揺動する第３の風向制御羽根を持つもので、これにより、運転中以外の吹出し口の不要な間隙を無くす事が出来、且つ従来にない優れた意匠性を発揮し、なお且つ間隙を無くす事でヒートポンプ式空気調和機特有の除霜時の冷風感や冷媒音の漏洩の防止をする事が出来る。
【図面の簡単な説明】
【図１】本発明の実施の形態における室内ユニット図
【図２】本発明の第１の実施の形態における吹出し口の詳細断面図
【図３】本発明の第１の実施の形態における風向制御羽根の風向パターン図
【図４】本発明の第２の実施の形態における吹出し口の詳細断面図
【図５】従来の実施の形態における室内ユニット図
【図６】従来の実施の形態における室内ユニット図
【符号の説明】
１　吹出し口
２　上シャッター
３　下シャッター
４　第１の風向制御羽根
５　第２の風向制御羽根
６　吹出し口の上壁面
７　吹出し口の下壁面
８　室内ファン
１０　吸込み口
１１　上シャッター駆動用ギア
１２　下シャッター駆動用ギア
１３　上シャッター駆動用ピニオン
１４　下シャッター駆動用ピニオン
１５　上シャッター端板
１７　ピポッド
１８　ピポッド
１９　スライド溝
２０　ピポッド
２１　ピポッド
２２　スライド溝
２３　室内ユニット
３１　吹出し口
３２　上シャッター
３３　下シャッター
３４　第１の風向制御羽根
３５　第３の風向制御羽根
３６　吹出し口の上壁面
３７　吹出し口の下壁面
２０１　室内吹出し口
２０２　上下風向制御羽根
２０３　左右羽根
２０４　吸込み口
【図１】
2004085069.tif 000003
【図２】
2004085069.tif 000004
【図３】
2004085069.tif 000005
【図４】
2004085069.tif 000006
【図５】
2004085069.tif 000007
【図６】
2004085069.tif 000008